(57)【要約】【課題】装着作業を何度もやり直しすることなく、簡単に展示対象物を最適位置に位置決めできるようにする。【解決手段】透明材からなる第１の板体２１と、第２の板体３１と、第１の板体２１と第２の板体３２の縁部同士を連結して互いの一面側同士を重ね合わせた状態に保持する連結手段とを有し、第１の板体２１と第２の板体３１との間にシート状の展示対象物を挟んで、第１の板体２１の表面側から展示対象物を視認可能に保持するフォトフレーム２０において、第２の板体３１には、保持対象として想定される規定サイズの展示対象物の最適保持位置を示すための規定サイズの輪郭表示が、第２の板体３１の一面側から視認可能な状態でなされている。ここで、第２の板体３１は透明材または半透明材からなり、輪郭表示が、第２の板体３１の一面側の反対面側に貼り付けられたミラー板５０の外縁５１ａ〜５１ｄが兼ねている。【選択図】図１
2019209084.tif 000002
【特許請求の範囲】
【請求項１】
透明材からなる第１の板体と、第２の板体と、前記第１の板体と前記第２の板体の縁部同士を連結して前記第１の板体と前記第２の板体とを互いの一面側同士を重ね合わせた状態に保持する連結手段とを有し、前記第１の板体と前記第２の板体との間にシート状の展示対象物を挟んで、前記第１の板体の表面側から前記展示対象物を視認可能に保持するフォトフレームにおいて、
前記第２の板体には、保持対象として想定される規定サイズの展示対象物の最適保持位置を示すための前記規定サイズの輪郭表示が、前記第２の板体の前記一面側から視認可能な状態でなされていることを特徴とするフォトフレーム。
【請求項２】
前記輪郭表示が、前記第２の板体の前記一面側に設けられていることを特徴としている請求項１記載のフォトフレーム。
【請求項３】
前記第２の板体は透明材または半透明材からなり、
前記輪郭表示が、前記第２の板体の前記一面側の反対面側に設けられていることを特徴とする請求項１記載のフォトフレーム。
【請求項４】
前記輪郭表示が、前記規定サイズの外形を有し、前記第２の板体の前記一面側の反対面に貼り付けられたミラー板の外縁であることを特徴とする請求項３記載のフォトフレーム。
【発明の詳細な説明】
【技術分野】
【０００１】  本発明は、主に写真、絵はがき等のシート状の展示対象物を、２枚の板体の間に挟んだ状態で保持して、卓上に置いたり、壁に掛けて観賞できるようにするためのフォトフレームにおいて、展示対象物の位置決めを容易にするための技術に関する。
【背景技術】
【０００２】  シート状の展示対象物を２枚の板体の間に挟んだ状態で保持する構造のフォトフレームは、外から中の展示対象物が視認できるように、２枚の板体の少なくとも一方の板体を、アクリル等の透明材とし、その一方の板体とほぼ同一外形の他方の板体を重ね合わせた状態で、例えば四隅をネジとナット等の連結手段により一体的に連結させており、その連結を解除することで、展示対象物の新規の装着や交換が可能な構造となっている。【０００３】  展示対象物を間に挟んで保持する２枚の板体は、一般的に、前記連結手段のために必要な領域を確保しつつ、写真、絵はがき、印刷用紙等で用いられる規定サイズ、即ち、Ｌ判、はがきサイズ、２Ｌ判（キャビネ）、Ｂ５サイズ等の展示対象物がほぼ中央に保持されたときに美観上バランスよく表示できるように、各規定サイズより一回り大きい例えばほぼ相似の略長方形（正方形や多角形あるいは円形、楕円形等の場合もある）に設定されている。【０００４】  したがって、例えばある規定サイズの展示対象物を新規に装着する場合、２枚の板体の連結を解除し、一方の板体の内面側の最適保持位置（通常はほぼ中央）に展示対象物を配置した状態で、他方の板体を重ね合わせて、連結手段により連結するという作業が必要となる。【０００５】  なお、上記したように、２枚の板体の間に展示対象物を挟んで保持する構造のフォトフレームは、次の特許文献１に開示されている。
【先行技術文献】
【特許文献】
【０００６】
【特許文献１】特開２００８−１６８０４０号公報
【発明の概要】
【発明が解決しようとする課題】
【０００７】  しかしながら、上記装着作業では、展示対象物を目見当で位置決めするため、板体同士を連結する前には正しい位置に設定したと思っても、板体連結後に確認すると、展示対象物が板体の最適保持位置から左右上下にずれたり、傾いたりしていることが多く、何度もやり直ししなければならない煩わしさがあった。【０００８】  本発明は、この課題を解決して、装着作業を何度もやり直しすることなく、簡単に展示対象物を最適位置に位置決めできるフォトフレームを提供することを目的としている。
【課題を解決するための手段】
【０００９】  前記目的を達成するために、本発明の請求項１記載のフォトフレームは、
透明材からなる第１の板体と、第２の板体と、前記第１の板体と前記第２の板体の縁部同士を連結して前記第１の板体と前記第２の板体とを互いの一面側同士を重ね合わせた状態に保持する連結手段とを有し、前記第１の板体と前記第２の板体との間にシート状の展示対象物を挟んで、前記第１の板体の表面側から前記展示対象物を視認可能に保持するフォトフレームにおいて、
前記第２の板体には、保持対象として想定される規定サイズの展示対象物の最適保持位置を示すための前記規定サイズの輪郭表示が、前記第２の板体の前記一面側から視認可能な状態でなされていることを特徴とする。【００１０】  また、本発明の請求項２記載のフォトフレームは、請求項１記載のフォトフレームにおいて、
前記輪郭表示が、前記第２の板体の前記一面側に設けられていることを特徴としている。【００１１】  また、本発明の請求項３記載のフォトフレームは、請求項１記載のフォトフレームにおいて、
前記第２の板体は透明材または半透明材からなり、
前記輪郭表示が、前記第２の板体の前記一面側の反対面側に設けられていることを特徴としている。【００１２】  また、本発明の請求項４記載のフォトフレームは、請求項３記載のフォトフレームにおいて、
前記輪郭表示が、前記規定サイズの外形を有し、前記第２の板体の前記一面側の反対面に貼り付けられたミラー板の外縁であることを特徴としている。
【発明の効果】
【００１３】  このように、本発明の請求項１のフォトフレームでは、第２の板体には、保持対象として想定される規定サイズの展示対象物の最適保持位置を示すための規定サイズの輪郭表示が、第２の板体の一面側から視認可能な状態でなされているから、第１の板体と第２の板体との連結を解除した状態で、規定サイズの展示対象物の外縁を第２の板体の一面側から視認可能な規定サイズの輪郭表示に合わせるだけで、極めて簡単に美観上バランスよい位置に保持することができる。また、規定サイズの展示対象物を保持させたとき、輪郭表示が展示対象物の外縁とほぼ一致するから、展示対象物を観賞する際に輪郭表示が展示対象物の外側にはみ出して美観を損ねる可能性が少ない。【００１４】  また、請求項２のように、輪郭表示を第２の板体の一面側に設けた場合、第２の板体が不透明であっても対応可能である。【００１５】  また、請求項３のように、第２の板体が透明材あるいは半透明材であれば、輪郭表示を第２の板体の反対面側に設けることが可能である。この場合、輪郭表示を第２の板体の反対面に直接表記する方法だけでなく、例えば、第２の板体の反対面側に重ね合わせられた状態で輪郭表示が最適保持位置になされた輪郭表示シートを用いて、展示対象物の位置決めを行い、その位置決め完了後に、輪郭表示シートを第２の板体の反対面から外すことで第２の板体の反対面側から輪郭表示が視認されずに済む。また、輪郭表示シートに複数種の規定サイズの輪郭表示を同心に施せば、それら複数種の規定サイズの展示対象物の位置決めだけでなく、その規定サイズの中間のサイズの位置決めも輪郭表示を目安に簡単に行なえる。【００１６】  また、請求項４のように、輪郭表示が、規定サイズの外形を有し、第２の板体の反対面に貼り付けられたミラー板の外縁である場合、規定サイズの輪郭を線や点などで表示する必要はなく、ミラー機能を有するフォトフレームとなる。この場合、規定サイズの展示対象物を保持させたとき、ミラー板の外縁が展示対象物の外縁とほぼ一致するから、展示対象物を観賞する際にミラー板の外縁が展示対象物の外側にはみ出して美観を損ねたり、反対に鏡として使用する際に、ミラー板５０の外側に展示対象物の外縁がはみ出して美観を損ねる可能性が少ない。また、この場合、ミラー板としては、第１の板体および第２の板体より外形が小さく済み、両板体との連結用のネジ止め等が不要であるから、ミラー機能を設けることによるコスト高を抑制できる。
【図面の簡単な説明】
【００１７】
【図１】  本発明の実施形態の分解図
【図２】  展示対象物未装着時の実施形態の外観図
【図３】  規定サイズの展示対象物の位置決め作業を説明するための図
【図４】  展示対象物装着時の実施形態の外観図
【図５】  本発明の他の実施形態を示す分解図
【図６】  本発明の他の実施形態を示す分解図
【図７】  本発明の他の実施形態を示す分解図
【図８】  他の実施形態の使用方法を説明するための図
【図９】  本発明の実施形態に適用可能なスタンドの例を示す図
【図１０】  本発明の実施形態に適用可能なスタンドの別の例を示す図
【図１１】  図１０のスタンドを用いてフォトフレームを壁に掛けた状態を示す図
【発明を実施するための形態】
【００１８】  以下、図面に基づいて本発明の実施の形態を説明する。
図１は、本発明を適用したフォトフレーム２０を分解した状態を示す図、図２は、フォトフレーム２０を一面側および反対面側からみた外観を示す図である。
【００１９】  これらの図に示すように、実施形態のフォトフレーム２０は、アクリル等の樹脂の無色透明材からなり、外形が縦長の長方形で同一の大きさの第１の板体２１と第２の板体３１を有している。ここでは、第１の板体２１と第２の板体３１の外形（厚さは含まず）を同一としているが、外形が完全に一致している必要はなく、大きささや形状を若干変えたり、角部の丸め仕上げ等が異なっていてもよい。
【００２０】  これら２つの板体２１、３１の縁部は、互いの一面（内面）２１ａ、３１ａ側同士を重ね合わせた状態に保持するための連結手段により一体的に連結される。この実施形態の連結手段は、２つの板体２１、３１の四隅の同一位置に設けられ、一方の板体から他方の板体まで同心に連通する連結用穴２２、３２と、２つの板体の厚さの合計より長い軸部を有し、連通した連結用穴２２、３２に挿着可能な連結用ネジ４１と、一方の板体から突出する連結用ネジ４１の軸部の先端に螺合する連結用ナット４２により構成されている。連結手段の方式は、この例に限定されず、四隅部をクリップで挟んで連結する構造、外周部全体を枠状体で囲んで連結する構造等、種々の構造が採用できる。
【００２１】  ２つの板体２１、３１の外形は、連結手段を設ける領域を確保するとともに、写真、絵はがき、印刷用紙等で用いられる規定サイズの展示対象物がほぼ中央に保持されたときに美観上バランスよく表示できるように、保持対象として想定される規定サイズの展示対象物の大きさより一回り大きなほぼ相似の長方形に設定されている。例えば、保持対象として想定される規定サイズが写真のＬ判（８９ｍｍ×１２７ｍｍ）であれば幅１３０ｍｍ、高さ１７０ｍｍ程度、規定サイズがはがきサイズ（１００ｍｍ×１４８ｍｍ）であれば幅１５０ｍｍ、高さ２００ｍｍ程度に設定されている。
【００２２】  展示対象物は、図１のように分解された状態で、第２の板体３１の一面側３１ａの中央部に載置されて、前記連結手段により第１の板体２１に重ね合わされて一体化され、第１の板体２１の表面側から視認可能な状態で保持されるが、前記したように、目見当で位置合わせした場合、左右上下の位置ずれや、傾き等が発生しやすい。
【００２３】  これを解決するために、本発明では、保持対象として想定される規定サイズの展示対象物の最適保持位置を示すための規定サイズ（例えばＬ判）の輪郭表示が、第２の板体３１の一面３１ａ側から視認可能な状態でなされている。この輪郭表示の一例として、実施形態では、規定サイズ（例えばＬ判）の外形を有し、第２の板体３１ａの反対面３１ｂ側に貼り付けられたミラー板５０の外縁（この場合、長方形を形成する４つの辺）５１ａ〜５１ｄとしている。
【００２４】  つまり、このフォトフレーム２０は、第１の板体２１の表面側からは装着した展示対象物が視認でき、第２の板体３１の表面側は鏡として使用できるものであり、しかも、そのミラー板５０の外形を保持が想定される規定サイズの展示対象物の外形に合わせて、第２の板体３１の一面３１ａ側からみて保持が想定される展示対象物の最適保持位置Ｐと重なり合う位置に貼り付けてある（図１では、最適保持位置Ｐを破線で仮想的に示しているが、実際には、第２の板体３１の反対面３１ｂ側に貼り付けられたミラー板５０の外縁５１ａ〜５１ｄが規定サイズの輪郭表示となり、この輪郭表示で囲まれた領域が最適保持位置Ｐと重なる）。
【００２５】  ミラー板５０は、例えば、ガラス等の透明基板の一面５０ａ側に施された金属蒸着によりその反対面５０ｂ側からの入射光を反射する鏡面が形成されたものであり、金属蒸着された一面５０ａ側が第２の板体３１の反対面３１ｂに接着等により貼り付けられている。
【００２６】  したがって、保持が想定される規定サイズ（例えばＬ判）の展示対象物を装着する場合、図３の（ａ）のように、第２の板体３１の一面３１ａ側を表にして、規定サイズ（例えばＬ判）で展示対象物の最適保持位置に貼り付けられたミラー板５０の外縁５１ａ〜５１ｄを視認しながら、その外縁５１ａ〜５１ｄの例えば四隅のうちの少なくとも２箇所において展示対象物１の隅の位置を一致させることで、図３の（ｂ）のように、展示対象物１を最適保持位置に合わせることができる。この位置決めがなされた状態で、第２の板体３１の一面３１ａ側に第１の板体２１の一面側２１ａを重ね合わせ、連通した板体２１、３１の連結用穴２２、３２に一方の板体側から連結用ネジ４１を通し、他方の板体側に突出した連結用ネジ４１の先端に連結用ナット４２を螺着させて両板体を連結することで、図４の（ａ）、（ｂ）に示すように、美観上バランスのよい状態で一面側から展示対象物１を観賞でき、反対面側でミラーとして使用できる。
【００２７】  上記のように板体同士が連結された状態では、最適保持位置に保持された規定サイズの展示対象物１の外縁と、規定サイズの輪郭表示（この例ではミラー板５０の外縁）が一致するので、展示対象物を観賞する際に輪郭表示が展示対象物の外側にはみ出して美観を損ねたり、反対に鏡として使用する際に、ミラー板５０の外側に展示対象物の外縁がはみ出して美観を損ねる可能性が少ない。
【００２８】  ただし、第２の板体３１の一面３１ａ側の最適保持位置に展示対象物１を位置合わせできても、展示対象物１の反りや、僅かな振動等により最適保持位置からずれてしまう場合があるが、その場合には、例えば、展示対象物１の裏面側あるいは第２の板体３１の一面３１ａ側に両面テープを貼り付けて仮止めしておき、最適保持位置からずれないようにすればよい。
【００２９】  なお、上記のようなミラー機能を有するフォトフレームを構成する場合、ミラー板の大きさを、第１の板体２１や第２の板体３１と同じ大きさにしたり、あるいは、第２の板体３１の全体をミラー板にする構造も考えられるが、ミラー板は一般的に高価であり、その価格は、鏡面の広さに応じて高額となる。また、板体に対するミラー板連結のための加工等も必要となり、コスト高になる。これに対し、上記実施形態では、ミラー板の面積を展示対象物の大きさに合わせて狭くでき、貼り付け固定なので板体との連結用の加工も不要であるから、低コスト化が計れる。
【００３０】  上記実施形態では、第２の板体３１を無色透明材として、その一面３１ａ側から反対面３１ｂに貼り付けたミラー板５０の外縁が視認できるようにしていたが、ミラー板５０の外縁が視認できる程度の透明度があれば、第２の板体３１を色付きの半透明材で形成することも可能である。
【００３１】  前記実施形態では、保持が想定される展示対象物の規定サイズと同一外形のミラー板５０の外縁を、最適保持位置を示す輪郭表示として用いていたが、図５、図６に示すフォトフレーム２０１、２０２のように、第２の板体３１の一面３１ａ側（あるいは反対面３１ｂ側）に、最適保持位置を示す輪郭表示５５ａ〜５５ｄ、５６ａ、５６ｂを施してもよい。図５の輪郭表示５５ａ〜５５ｄは輪郭の四隅をカギ線で表記したもので、図６の輪郭表示５６ａ、５６ｂは、輪郭の上辺部と下辺部を点線で表記したものであり、これらカギ線や点線の他に、丸印や三角印等のマークで表記してもよい。これらの輪郭表示は、例えば、第２の板体３１の一面側に対する印刷処理、切削処理、金型成形処理等で行なうことが可能である。
【００３２】  この場合も、図示しているように、輪郭表示に合わせて規定サイズの展示対象物１を位置合わせすれば、展示対象物１を最適保持位置に保持できる。この例では、第２の板体３１を不透明材と仮定して、第２の板体３１の一面３１ａ側に輪郭表示を施しているが、第２の板体３１が透明材あるいは半透明材であれば、どちらの面に輪郭表示を施してもよい。
【００３３】  また、第２の板体３１が透明材あるいは半透明材であれば、図７に示すフォトフレーム２０３のように、第２の板体３１の反対面３１ｂ側に、薄い輪郭表示シート５７を貼着（連結手段による板体との連結でもよい）しておくこともできる。
【００３４】  この輪郭表示シート５７には、推定される保持対象の１種類の規定サイズに対応した輪郭表示５８だけでなく、それよりサイズが若干小さい規定サイズに対応した輪郭表示５９が同心に施されており、図８の（ａ）、（ｂ）のように、この輪郭表示５８、５９のいずれか一方に合わせてその規定サイズの展示対象物１、１′の位置合わせを行うことができる。また、輪郭表示シート５７に表示された２種類の規定サイズの輪郭表示を参考にすれば、規定サイズと異なるサイズの展示対象物の位置決めも正確に行なえる。
【００３５】  この場合、展示対象物１、１′の位置決めや第１の板体２１との連結が完了した後に、輪郭表示シート５７を剥がせば、第２の板体３１の反対面３１ｂから見たときの美観を損ねる心配はない。なお、輪郭表示シート５７を、第２の板体３１の反対面３１ｂ側に繰り返し貼り付けできるようにしておけば、展示対象物を交換する場合であっても対処できる。上記輪郭表示シート５７にはサイズが異なる２種類の輪郭表示がなされていたが、１種類でもあるいは３種類以上でも表示することができ、複数種の規定サイズの輪郭表示を目安にすれば、規定サイズ以外の中間のサイズの位置決めも簡単に行なえる。
【００３６】  前記した輪郭表示シート５７は、第２の板体３１の反対面３１ｂ側に対して貼着および剥がしが可能な例であったが、図７で点線で示すように、輪郭表示シート５７の外形の四隅のうち、少なくとも２箇所（図では上辺側両端）を第２の板体３１と重なる形状とし、第２の板体３１の連結用穴３２の少なくとも２つと一致する連結用穴５７ａ、５７ｂを設けておき、その２つの連結用穴５７ａ、５７ｂと、それらに連通する第２の板体３１の連結用穴３２を通過するネジにナット（共に図示しないが、連結用ネジ４１と連結用ナット４２で兼用可能）を螺着させれば、輪郭表示シート５７を第２の板体３１の反対面３１ｂ側に重ね合わせた状態で仮止めすることができる。そして、この仮止め状態で前記同様に展示対象物の位置決めを行い、位置決め完了後に輪郭表示シート５７の仮止めを解除して、第１の板体２１と連結することができる。
【００３７】  上記説明では、フォトフレーム２０（以下、フォトフレーム２０１〜２０３も含むものとする）を、卓上で支持するためのスタンドや、壁等に掛けるための掛け止め機構については述べていないが、スタンドを特に設けず何かに立てかけておく方法も含めて任意の方式が採用できる。
【００３８】  簡単な例をあげれば、図９に示すスタンド６０のように、フォトフレーム２０の下部を受け入れるために前板６１ａ、底板６１ｂ、後板６１ｃにより凹状に形成された受入部６１と、受入部６１の後板６１ｃの上縁にヒンジ６２を介して回動自在に連結された脚部６３とを有し、受入部６１と脚部６３との間の角度を可変することで、フォトフレーム２０の卓上での傾きを調整できるものが採用できる。なお、ヒンジ６２には、振動などで受入部６１と脚部６３との角度が大きく開いてフォトフレーム２０が倒れてしまうことを防止するために、例えばゴム製のＯリングや凹凸面などを利用して適切な摩擦力、制動力が付与されている。このスタンド６０では、図９の（ａ）、（ｂ）のように、受入部６１に対するミラー付きのフォトフレーム２０の向きを表側と裏側で切り替えることで、展示対象物１の観賞とミラー使用とを切替えることになる。
【００３９】  また、例えば、図１０に示すスタンド７０のように、第１の板体２１と第２の板体３１のいずれか一方（ここでは、第２の板体３１）の両側部にそれぞれの一端側が回動自在に取り付けられた一対のアーム７１、７２と、アーム７１、７２の他端同士を連結する連結バー７３とでコの状に形成され、フォトフレーム２０に対するアーム７１、７２の角度を変えることで、フォトフレーム２０の卓上での傾きを調整できるものが採用できる。このスタンド７０の場合も、振動などでフォトフレーム２０とアーム７１、７２との角度が大きく開いてフォトフレーム２０が倒れてしまうことを防止するために、アーム７１、７２の一端側と第２の板体３１の側部との間に、例えばゴム製のＯリングや凹凸面などを利用して適切な摩擦力、制動力が付与されている。
【００４０】  このスタンド７０では、アーム７１、７２の長さを、その一端が回動自在に取り付けられている第２の板体３１の側部の回動支点から、その側部の上端まで距離より長く設定しておけば、図１１のように、連結バー７３をフォトフレーム２０の上方まで移動させることができ、壁面５に取り付けられたフック６に、連結バー７３の内側中央の凹部７３ａを係止することで、フォトフレーム２０を鉛直方向に吊り下げることが可能となる。なお、フォトフレームを卓上に置いたり、壁に掛けたりするための機構については、上記例に限らず、種々の方法が採用できる。
【００４１】  また、前記実施形態では、フォトフレームの外形を長方形としていたが、フォトフレームの外形は任意であり、正方形、三角形や多角形、あるいは円形、楕円、長円等であってもよい。
【符号の説明】
【００４２】  １……展示対象物、２０、２０１〜２０３……フォトフレーム、２１……第１の板体、２２……連結用穴、３１……第２の板体、３２……連結用穴、４１……連結用ネジ、４２……連結用ナット、５０……ミラー板、５１ａ〜５１ｄ……外縁、５５ａ〜５５ｄ、５６ａ、５６ｂ……輪郭表示、５７……輪郭表示シート、５８、５９……輪郭表示、６０……スタンド、７０……スタンド。
【図１】
2019209084.tif 000003
【図２】
2019209084.tif 000004
【図３】
2019209084.tif 000005
【図４】
2019209084.tif 000006
【図５】
2019209084.tif 000007
【図６】
2019209084.tif 000008
【図７】
2019209084.tif 000009
【図８】
2019209084.tif 000010
【図９】
2019209084.tif 000011
【図１０】
2019209084.tif 000012
【図１１】
2019209084.tif 000013